(57)【特許請求の範囲】
【請求項１】
圧縮機のポートとポートの近傍に配設されたスタッドボルトとを保護する一体成形されたエラストマー製のポートカバーであって、ポートに圧入可能な蓋体と、スタッドボルトを覆う有天筒体と、蓋体から延びる把手とを備え、有天筒体の側壁に長手方向に延在する少なくとも一つの切欠又はスリットが形成されていることを特徴とする圧縮機のポートカバー。
【請求項２】
圧縮機の吸入ポートと吐出ポートと吸入ポートと吐出ポートの間に配設された一本のスタッドボルトとを保護する一体成形されたエラストマー製のポートカバーであって、吸入ポートに圧入可能な第１蓋体と、吐出ポートに圧入可能な第２蓋体と、スタッドボルトを覆う有天筒体と、第１蓋体又は第２蓋体から延びる把手とを備え、有天筒体の側壁に長手方向に延在する少なくとも一つの切欠又はスリットが形成されていることを特徴とする圧縮機のポートカバー。
【請求項３】
圧縮機の吸入ポートと吐出ポートと吸入ポートの近傍に配設された第１スタッドボルトと吐出ポートの近傍に配設された第２スタッドボルトとを保護する一体成形されたエラストマー製のポートカバーであって、吸入ポートに圧入可能な第１蓋体と、吐出ポートに圧入可能な第２蓋体と、第１スタッドボルトを覆う第１有天筒体と、第２スタッドボルトを覆う第２有天筒体と、第１蓋体又は第２蓋体から延びる把手とを備え、第1有天筒体の側壁と第２有天筒体の側壁とに長手方向に延在する少なくとも一つの切欠又はスリットが形成されていることを特徴とする圧縮機のポートカバー。
【請求項４】
圧縮機の吸入ポート又は吐出ポートと吸入ポート又は吐出ポートの近傍に配設されたスタッドボルトとを保護する一体成形されたエラストマー製のポートカバーであって、吸入ポート又は吐出ポートに圧入可能な蓋体と、スタッドボルトを覆う有天筒体と、蓋体から延びる把手とを備え、有天筒体の側壁に長手方向に延在する少なくとも一つの切欠又はスリットが形成されていることを特徴とする圧縮機のポートカバー。
【発明の詳細な説明】
【０００１】
【発明の属する技術分野】
本発明は、圧縮機の輸送時に圧縮機に装着され、圧縮機のポートとポートの近傍に配設されたスタッドボルトとを保護する、一体成形されたエラストマー製のポートカバーに関するものである。
【０００２】
【従来の技術】
圧縮機の輸送時に圧縮機に装着され、圧縮機のポートとポートの近傍に配設されたスタッドボルトとを保護する、一体成形されたエラストマー製のポートカバーであって、ポートに圧入可能な蓋体と、スタッドボルトを覆う有天筒体と、圧縮機からポートカバーを取り外す際に蓋体をポートから引き抜くための把手であって、有天筒体の側壁から径方向外方へ延びる把手とを備えるポートカバーが従来から使用されている。スタッドボルトは、圧縮機のポートと空調装置の冷媒回路等との接続に使用される。
【０００３】
【発明が解決しようとする課題】
ポートに圧入された蓋体をポートから引き抜くための把手は、蓋体の近傍に配設するのが望ましい。しかし、蓋体から把手が延在していると、把手を引いて蓋体をポートから引き抜く際に、有天筒体がスタッドボルトに干渉して、ポートカバーの取り外しに支障を来すおそれがある。
本発明は上記問題に鑑みてなされたものであり、ポートに圧入可能な蓋体と、スタッドボルトを覆う有天筒体と、蓋体から延びる把手とを備える一体成形されたエラストマー製のポートカバーであって、把手を引いて蓋体をポートから引き抜く際に、有天筒体がスタッドボルトに干渉しないポートカバーを提供することを目的とする。
【０００４】
【課題を解決するための手段】
上記課題を解決するために、本発明においては、圧縮機のポートとポートの近傍に配設されたスタッドボルトとを保護する一体成形されたエラストマー製のポートカバーであって、ポートに圧入可能な蓋体と、スタッドボルトを覆う有天筒体と、蓋体から延びる把手とを備え、有天筒体の側壁に長手方向に延在する少なくとも一つの切欠又はスリットが形成されていることを特徴とする圧縮機のポートカバーを提供する。
本発明においては、圧縮機の吸入ポートと吐出ポートと吸入ポートと吐出ポートの間に配設された一本のスタッドボルトとを保護する一体成形されたエラストマー製のポートカバーであって、吸入ポートに圧入可能な第１蓋体と、吐出ポートに圧入可能な第２蓋体と、スタッドボルトを覆う有天筒体と、第１蓋体又は第２蓋体から延びる把手とを備え、有天筒体の側壁に長手方向に延在する少なくとも一つの切欠又はスリットが形成されていることを特徴とする圧縮機のポートカバーを提供する。
本発明においては、圧縮機の吸入ポートと吐出ポートと吸入ポートの近傍に配設された第１スタッドボルトと吐出ポートの近傍に配設された第２スタッドボルトとを保護する一体成形されたエラストマー製のポートカバーであって、吸入ポートに圧入可能な第１蓋体と、吐出ポートに圧入可能な第２蓋体と、第１スタッドボルトを覆う第１有天筒体と、第２スタッドボルトを覆う第２有天筒体と、第１蓋体又は第２蓋体から延びる把手とを備え、第1有天筒体の側壁と第２有天筒体の側壁とに長手方向に延在する少なくとも一つの切欠又はスリットが形成されていることを特徴とする圧縮機のポートカバーを提供する。
本発明においては、圧縮機の吸入ポート又は吐出ポートと吸入ポート又は吐出ポートの近傍に配設されたスタッドボルトとを保護する一体成形されたエラストマー製のポートカバーであって、吸入ポート又は吐出ポートに圧入可能な蓋体と、スタッドボルトを覆う有天筒体と、蓋体から延びる把手とを備え、有天筒体の側壁に長手方向に延在する少なくとも一つの切欠又はスリットが形成されていることを特徴とする圧縮機のポートカバーを提供する。
本発明に係るポートカバーにおいては、スタッドボルトを覆う有天筒体の側壁に長手方向に延在する少なくとも一つの切欠又はスリットが形成されているので、把手を引いて蓋体をポートから引き抜く際に、切欠又はスリットが拡大変形して有天筒体の側壁がめくられ或いは有天筒体が蝶番状に開くので、有天筒体とスタッドボルトとは干渉しない。従って、ポートカバーを支障なく圧縮機から取り外すことができる。
【０００５】
【発明の実施の形態】
本発明の第１実施例を説明する。
図１に示す圧縮機Ａの輸送時に圧縮機Ａに装着され、圧縮機Ａの吸入ポートＢと、吐出ポートＣと、吸入ポートＢと吐出ポートＣの間に配設された一本のスタッドボルトＤとを保護する一体成形されたエラストマー製のポートカバー１は、図２に示すように、吸入ポートＢに圧入可能な有底筒状の第１蓋体２と、吐出ポートＣに圧入可能な有底筒状の第２蓋体３と、スタッドボルトＤを覆う有天筒体４と、第２蓋体３から延びる把手５とを備えている。有天筒体４の側壁に、有天筒体４の開放端から天井壁へ向けて長手方向に延在する一対の切欠４ａ、４ｂが対向して形成されている。切欠４ａと切欠４ｂとを結ぶ線は第１蓋体２と第２蓋体３とを結ぶ線に略直交している。
圧縮機Ａの空調装置等への組み込みに当たって、ポートカバー１を圧縮機Ａから取り外す際には、図２で白抜矢印で示すように、把手５を有天筒体４の延在方向へ引いて第２蓋体３を吐出ポートＣから引き抜く。第２蓋体３が吐出ポートＣから引き抜かれると、有天筒体４の一対の切欠４ａ、４ｂが口開きし、有天筒体４が天井壁を中心に蝶番状に開き、有天筒体４はスタッドボルトＤと干渉することなくスタッドボルトＤから外れる。把手５を白抜矢印の方向へ更に引くと、第１蓋体２が吸入ポートＢから引き抜かれる。
上記説明から分かるように、有天筒体４とスタッドボルトＤとの干渉を招くことなく、ポートカバー１を支障なく圧縮機Ａから取り外すことができる。
第２蓋体３が吐出ポートＣから引き抜かれ、次いで第１蓋体２が吸入ポートＢから引き抜かれるので、小さな力でポートカバー１を圧縮機Ａから取り外すことができる。
把手５を白抜矢印の方向へ引くことのみから成る一動作でポートカバー１を圧縮機Ａから取り外すことができる。
【０００６】
本発明の第２実施例を説明する。
図１に示す圧縮機Ａの輸送時に圧縮機Ａに装着され、圧縮機Ａの吸入ポートＢと吐出ポートＣと吸入ポートＢと吐出ポートＣの間に配設された一本のスタッドボルトＤとを保護する一体成形されたエラストマー製のポートカバー１１は、図３に示すように、吸入ポートＢに圧入可能な有底筒状の第１蓋体１２と、吐出ポートＣに圧入可能な有底筒状の第２蓋体１３と、スタッドボルトＤを覆う有天筒体１４と、第２蓋体１３から延びる把手１５とを備えている。有天筒体１４の側壁に、有天筒体１４の開放端から天井壁へ向けて長手方向に延在する単一の切欠１４ａが形成されている。切欠１４ａの開放端は第１蓋体１２と第２蓋体１３とを結ぶ線に略直交する方向へ差し向けられている。
圧縮機Ａの空調装置等への組み込みに当たって、ポートカバー１１を圧縮機Ａから取り外す際には、図３で白抜矢印で示すように、把手１５を有天筒体１４の延在方向へ且つ切欠１４ａの幅が広がる方向へ引いて第２蓋体１３を吐出ポートＣから引き抜く。第２蓋体１３が吐出ポートＣから引き抜かれるのと同期して、切欠１４ａが拡幅して有天筒体１４の側壁の切欠１４ａ側縁近傍部が外側へめくられ、有天筒体１４がスタッドボルトＤと干渉することなくスタッドボルトＤから外れる。把手１５を白抜矢印の方向へ更に引くと、第１蓋体１２が吸入ポートＢから引き抜かれる。
上記説明から分かるように、有天筒体１４とスタッドボルトＤとの干渉を招くことなく、ポートカバー１１を支障なく圧縮機Ａから取り外すことができる。
第２蓋体１３が吐出ポートＣから引き抜かれ、次いで第１蓋体１２が吸入ポートＢから引き抜かれるので、小さな力でポートカバー１１を圧縮機Ａから取り外すことができる。
把手１５を白抜矢印の延在方向へ引くことのみから成る一動作でポートカバー１１を圧縮機Ａから取り外すことができる。
【０００７】
本発明の第３実施例を説明する。
図１に示す圧縮機Ａの輸送時に圧縮機Ａに装着され、圧縮機Ａの吸入ポートＢと吐出ポートＣと吸入ポートＢと吐出ポートＣの間に配設された一本のスタッドボルトＤとを保護する一体成形されたエラストマー製のポートカバー２１は、図４に示すように、吸入ポートＢに圧入可能な有底筒状の第１蓋体２２と、吐出ポートＣに圧入可能な有底筒状の第２蓋体２３と、スタッドボルトＤを覆う有天筒体２４と、第２蓋体２３から延びる把手２５とを備えている。有天筒体２４の側壁に、有天筒体２４の開放端から天井壁へ向けて長手方向に延在する一対のスリット２４ａ、２４ｂが対向して形成されている。スリット２４ａとスリット２４ｂとを結ぶ線は第１蓋体２２と第２蓋体２３とを結ぶ線に略直交している。
圧縮機Ａの空調装置等への組み込みに当たって、ポートカバー２１を圧縮機Ａから取り外す際には、図４で白抜矢印で示すように、把手２５を有天筒体２４の延在方向へ引いて第２蓋体２３を吐出ポートＣから引き抜く。第２蓋体２３が吐出ポートＣから引き抜かれると、有天筒体２４の一対のスリット２４ａ、２４ｂが口開きし、有天筒体２４が天井壁を中心に蝶番状に開き、有天筒体２４はスタッドボルトＤと干渉することなくスタッドボルトＤから外れる。把手２５を白抜矢印の方向へ更に引くと、第１蓋体２２が吸入ポートＢから引き抜かれる。
上記説明から分かるように、有天筒体２４とスタッドボルトＤとの干渉を招くことなく、ポートカバー２１を支障なく圧縮機Ａから取り外すことができる。
第２蓋体２３が吐出ポートＣから引き抜かれ、次いで第１蓋体２２が吸入ポートＢから引き抜かれるので、小さな力でポートカバー２１を圧縮機Ａから取り外すことができる。
把手２５を白抜矢印の方向へ引くことのみから成る一動作でポートカバー２１を圧縮機Ａから取り外すことができる。
【０００８】
本発明の第４実施例を説明する。
図５に示す圧縮機Ａ′の輸送時に圧縮機Ａ′に装着され、圧縮機Ａ′の吸入ポートＢ′と、吐出ポートＣ′と、吸入ポートＢ′の近傍に配設された第１スタッドボルトＤ′と、吐出ポートＣ′の近傍に配設された第２スタッドボルトＤ″とを保護する一体成形されたエラストマー製のポートカバー３１は、図６に示すように、吸入ポートＢ′に圧入可能な有底筒状の第１蓋体３２と、吐出ポートＣ′に圧入可能な有底筒状の第２蓋体３３と、第１スタッドボルトＤ′を覆う第１有天筒体３４と、第２スタッドボルトＤ″を覆う第２有天筒体３５と、第２蓋体３３から延びる把手３６とを備えている。有天筒体３４、３５の側壁に、有天筒体３４、３５の開放端から天井壁へ向けて長手方向に延在する単一の切欠３４ａ、３５ａが形成されている。切欠３４ａ、３５ａの開放端は第１蓋体３２と第２蓋体３３とを結ぶ線に略直交する方向へ差し向けられている。
圧縮機Ａ′の空調装置等への組み込みに当たって、ポートカバー３１を圧縮機Ａ′から取り外す際には、図６で白抜矢印で示すように、把手３５を有天筒体３４、３５の延在方向へ、且つ切欠３４ａ、３５ａの幅が広がる方向へ引いて第２蓋体３３を吐出ポートＣ′から引き抜く。第２蓋体３３が吐出ポートＣ′から引き抜かれるのと同期して、切欠３５ａが拡幅して第２有天筒体３５の側壁の切欠３５ａ側縁近傍部が外側へめくられ、第２有天筒体３５が第２スタッドボルトＤ″と干渉することなく第２スタッドボルトＤ″から外れる。把手１５を白抜矢印の方向へ更に引くと、第１蓋体３２が吸入ポートＢ′から引き抜かれる。第１蓋体３２が吸入ポートＢ′から引き抜かれるのと同期して、切欠３４ａが拡幅して第１有天筒体３４の側壁の切欠３４ａ側縁近傍部が外側へめくられ、第１有天筒体３４が第１スタッドボルトＤ′と干渉することなく第１スタッドボルトＤ′から外れる。
上記説明から分かるように、第１有天筒体３４と第１スタッドボルトＤ′との干渉と第２有天筒体３５と第２スタッドボルトＤ″との干渉とを招くことなく、ポートカバー３１を支障なく圧縮機Ａ′から取り外すことができる。
第２蓋体３３が吐出ポートＣ′から引き抜かれ、次いで第１蓋体３２が吸入ポートＢ′から引き抜かれるので、小さな力でポートカバー３１を圧縮機Ａ′から取り外すことができる。
把手３５を白抜矢印の方向へ引くことのみから成る一動作でポートカバー３１を圧縮機Ａ′から取り外すことができる。
【０００９】
第１実施例において、把手５が第１蓋体２から延びるようにしても良い。
第２実施例において、切欠１４ａの位置を周方向に１８０度移動させても良い。
第２実施例において、把手１５が第１蓋体１２から延びるようにしても良い。
第３実施例において、スリット２４ａ又はスリット２４ｂを省略しても良い。この場合には、把手２５を第２実施例と同様の方向へ引く必要がある。
第３実施例において、把手２５が第１蓋体２２から延びるようにしても良い。
第４実施例において、把手３５が第１蓋体３２から延びるようにしても良い。
第４実施例において、ポートカバー３１を、第１蓋体３２と第１有天筒体３４とから成る第１部分と、第２蓋体３３と第２有天筒体３５とから成り第１部分から分離した第２部分と分割しても良い。
【００１０】
【発明の効果】
以上説明したごとく、本発明に係るポートカバーにおいては、スタッドボルトを覆う有天筒体の側壁に長手方向に延在する少なくとも一つの切欠又はスリットが形成されているので、把手を引いて蓋体をポートから引き抜く際に、切欠又はスリットが拡大変形して有天筒体の側壁がめくられ或いは有天筒体が蝶番状に開くので、有天筒体とスタッドボルトとは干渉しない。従って、ポートカバーを支障なく圧縮機から取り外すことができる。
【図面の簡単な説明】
【図１】本発明の第１実施例〜第３実施例に係るポートカバーが使用される圧縮機の斜視図である。
【図２】本発明の第１実施例に係るポートカバーの構造図である。（ａ）は平面図であり、（ｂ）は（ａ）のｂ−ｂ矢視図であり、（ｃ）は（ａ）のｃ−ｃ矢視図である。
【図３】本発明の第２実施例に係るポートカバーの構造図である。（ａ）は平面図であり、（ｂ）は（ａ）のｂ−ｂ矢視図である。
【図４】本発明の第３実施例に係るポートカバーの構造図である。（ａ）は平面図であり、（ｂ）は（ａ）のｂ−ｂ矢視図である。
【図５】本発明の第４実施例に係るポートカバーが使用される圧縮機の斜視図である。
【図６】本発明の第４実施例に係るポートカバーの構造図である。（ａ）は平面図であり、（ｂ）は（ａ）のｂ−ｂ矢視図である。
【符号の説明】
Ａ、Ａ′  圧縮機
Ｂ、Ｂ′  吸入ポート
Ｃ、Ｃ′  吐出ポート
Ｄ  スタッドボルト
Ｄ′  第１スタッドボルト
Ｄ″  第２スタッドボルト
１、１１、２１、３１  ポートカバー
２、１２、２２、３２  第１蓋
３、１３、２３、３３  第２蓋
４、１４、２４  有天筒体
５、１５、２５、３６  把手
４ａ、４ｂ、１４ａ、３４ａ、３５ａ  切欠
２４ａ、２４ｂ  スリット
３４  第１有天筒体
３５  第２有天筒体
【図１】
0003923327.tif 000002
【図２】
0003923327.tif 000003
【図３】
0003923327.tif 000004
【図４】
0003923327.tif 000005
【図５】
0003923327.tif 000006
【図６】
0003923327.tif 000007